(57)【要約】【課題】筒体に対し効率的な製造工程で精密な縮径加工を施すことができる縮径加工装置を提供する。【解決手段】セラミックハニカム構造体１０１及び膨張マット１０２が挿設された外筒１０３を縮径する縮径加工装置であり、外筒１０３の挿通方向へ向かって縮径するテーパ部２ｂが形成されている縮径ダイス２と、周状に配設され、外筒１０３の端部を係止すると共に、縮径ダイス２の内径に応じて縮径方向に移動する係止爪３と、係止爪３を縮径ダイス２内に進退する油圧シリンダー等の進退手段と、係止爪３を縮径ダイス２の縮径方向に移動して外筒１０３の端部への係止を解除する押止部７等の係止解除手段とを備える縮径加工装置。【選択図】  図２
2005069016.tif 000002
【特許請求の範囲】
【請求項１】
筒体の挿通方向へ向かって縮径するテーパが形成されている縮径ダイスと、周状に配設され、筒体端部を係止すると共に、該縮径ダイスの内径に応じて縮径方向に移動する係止爪と、該係止爪を該縮径ダイス内に進退する進退手段と、該係止爪を該縮径ダイスの縮径方向に移動して該筒体端部への係止を解除する係止解除手段とを備えることを特徴とする縮径加工装置。
【請求項２】
前記筒体がセラミックハニカム構造体の外筒であり、内部にセラミックハニカム構造体が挿設されている外筒を前記係止爪で係止し、該外筒を縮径することを特徴とする請求項１記載の縮径加工装置。
【発明の詳細な説明】
【０００１】
【発明の属する技術分野】
本発明は、例えば触媒坦体の外筒等の筒体を縮径する縮径加工装置に関する。
【０００２】
【従来の技術】
触媒坦体の外筒等の縮径加工に関連する従来技術として、外周に膨張マットを巻き付けた円柱形の触媒坦体を円筒形の外筒に収納して、前記触媒坦体を収納した外筒をスウェージングダイに挿入して設置し、そのスウェージングダイをスウェージングカラーに内周と接触しつつ挿通するもので、スウェージングカラーの挿通方向に沿って設けられている順次縮径するテーパ部でスウェージングダイを外方から押圧し、その内側に設置した外筒を膨張マットが触媒坦体と外筒との間で圧縮する程度まで縮径する構成が特許文献１、２に開示されている。
【０００３】
【特許文献１】特開平８−４２３３３号公報
【特許文献２】特開２００２−９７９４４号公報
【０００４】
【発明が解決しようとする課題】
ところで、上述の特許文献１、２の縮径加工は、触媒坦体を収納した外筒をスウェージングダイに一旦挿入し、前記外筒を挿入されたスウェージングダイをスウェージングカラーに挿入してスウェージングダイを介して外筒を縮径し、その後に縮径した外筒をスウェージングカラーから取り出す工程を必要とするため、製造工程が煩雑化するという問題を有する。そのため、より製造工程を簡略化することができる縮径加工技術が望まれている。
【０００５】
本発明は上記課題に鑑み提案するものであって、例えば触媒坦体の外筒等の筒体を縮径する縮径加工装置に係り、筒体に対し効率的な製造工程で精密な縮径加工を施すことができる縮径加工装置を提供することを目的とする。
【０００６】
【課題を解決するための手段】
本発明の縮径加工装置は、筒体の挿通方向へ向かって縮径するテーパが形成されている縮径ダイスと、周状に配設され、筒体端部を係止すると共に、該縮径ダイスの内径に応じて縮径方向に移動する係止爪と、該係止爪を該縮径ダイス内に進退する進退手段と、該係止爪を該縮径ダイスの縮径方向に移動して該筒体端部への係止を解除する係止解除手段とを備えることを特徴とする。筒体端部を係止している係止爪を縮径ダイス内に進入して、縮径ダイスの内径に応じて筒体を縮径しながら係止爪を縮径方向に移動させ、縮径した筒体を縮径ダイスから抜き出した段階で、係止解除手段で係止爪を縮径方向に強制的に移動して筒体端部への係止を解除し、その係止爪を縮径ダイス内から退出する。
【０００７】
尚、係止爪を進退する進退手段や係止解除手段は適宜の構成とすることが可能であり、後述するように、例えば油圧シリンダーとピストンロッド等で進退手段を構成する、或いは押止部で斜め前方から係止爪の略後部を押止する等で係止解除手段を構成することが可能である。
【０００８】
更に、本発明の縮径加工装置は、前記筒体がセラミックハニカム構造体の外筒であり、内部にセラミックハニカム構造体が挿設されている外筒を前記係止爪で係止し、該外筒を縮径することを特徴とする。本発明の縮径加工装置で縮径加工する筒体は適宜の筒体とすることが可能であるが、セラミックハニカム構造体の外筒とし、外筒を縮径加工によりセラミックハニカム構造体と一体化して触媒コンバータを形成する構成とすると好適であり、適度な押圧力でセラミックハニカム構造体の破損を防止しつつ、効率的な製造工程で触媒コンバータを製造することが可能となる。
【０００９】
【発明の実施の形態】
以下では、本発明の縮径加工装置の具体的な実施形態について説明する。図１〜図６は実施形態の縮径加工装置に於ける各工程の状態を順次示す図、図７は係止爪の設置部分の正面図、図８は係止爪、スリーブ、押止部を示す部分説明図である。尚、図２〜図５ではセラミックハニカム構造体１０１と膨張マット１０２を省略してある。
【００１０】
本実施形態の縮径加工装置１は、図１〜図８に示すように、円柱状のセラミックハニカム構造体１０１の外周に膨張マット１０２を巻き付けて周設し、そのセラミックハニカム構造体１０１及び膨張マット１０２が金属製の円筒形の外筒１０３内に挿設した触媒コンバータ１００の外筒１０３を縮径する加工装置であり、セラミックハニカム構造体１０１及び膨張マット１０２が挿設されている外筒１０３を後述する係止爪３で係止し、係止爪３で係止した状態で外筒１０３を縮径ダイス２内に押入して縮径するものである。
【００１１】
縮径加工装置１の縮径ダイス２は、外筒１０３の挿入側に鍔２ａが形成されている略円筒形であり、その略円筒径の内面には、断面視でテーパ状に形成されているテーパ部２ｂが外筒１０３の縮径ダイス２への挿入側に設けられていると共に、直線状に形成されている直線部２ｃが、縮径した外筒１０３を前進して抜き出す側に設けられている。テーパ部２ｂと直線部２ｃは連続して形成され、テーパ部２ｂが緩やかに傾斜を減少して直線部２ｃに至っており、テーパ部２ｂは外筒１０３の挿通方向へ向かって縮径し、直線部２ｃは略同一径で若しくは挿通方向へ向かって極僅かずつ縮径するように形成されている。
【００１２】
係止爪３は、管状部材５の先端に於いて正面視で周状に複数配設され、図７の例では八つの係止爪３が周状に配設されている。各係止爪３は断面視略Ｓ字形であり、その先端に外周が一部切り欠かれ、外筒１０３の後端の内周面に接触する段差面３ａと、外筒１０３の後端縁に当接する当接面３ｂとが形成されている係止部３ｃを有し、その後端は略円筒状のスリーブ４の先端に固着され、或いはスリーブ４の先端と一体的に設けられている。
【００１３】
各係止爪３の略後部及びスリーブ４は管状部材５に収容され、スリーブ４の後部は管状部材５の内面近傍位置に定置され支持されている。更に、スリーブ４には長手方向に延びるスリット４ａが所定間隔を開けて形成され、スリット４ａの幅の縮小によりスリーブ４は縮径可能であり、管状部材５の内面近傍位置で後部を支持されているスリーブ４の先端の縮径により、その先端に周設されている各係止爪３が縮径方向に移動可能である。
【００１４】
また、係止爪３の内面の略中央に形成されている傾斜面３ｄは、略独楽形の支持部６の先端側面に形成されている傾斜面６ａの当接により支持され、傾斜面６ａは傾斜面３ｄと略同一の傾斜角度を有し、傾斜面６ａ、３ｄは外筒１０３の挿通方向へ向かって拡開している。支持部６が最大限に後方へ移動し縮径ダイス２から離れて位置する場合、支持部６の傾斜面６ａと傾斜面３ｄの当接により係止爪３は最大限拡開し、その先端が縮径前の外筒１０３と略同一径となって、縮径前の外筒１０３端部を係止可能な所定位置に位置し、又、スリーブ４は縮径していない通常の状態になっている。
【００１５】
支持部６の後方に押止部７が設けられており、押止部７はリング形の基体の周囲に半径方向に延びる断面略Ｌ字形の押止片７ａが複数形成されている。各押止片７ａは、図８に示すように、スリーブ４のスリット４ａより若干幅狭か、略同一幅に形成され、スリット４ａに挿通されており、押止片７ａの屈曲した先端には、その内面に前方に向かって拡開する傾斜面７ｂが形成されている。押止片７ａは係止爪３の後端から若干離れた後方位置に設置されており、押止部７の前進により、係止爪３の略後部の外面或いはスリーブ４の略前端を押止片７ａの傾斜面７ｂで内方に押圧し、係止爪３を縮径方向に移動し、移動した位置で押止するようになっている。
【００１６】
前記支持部６と押止部７は共に基軸８の前方にボルト締めで固定され、基軸８の後端は進退可能に基台９に設置されており、又、管状部材５の後端も基台９に螺着されている。基台９内には油圧シリンダー１０が設けられ、油圧シリンダー１０のピストンロッド１０ａの先端が基軸８の後端の後方に配設されており、油圧シリンダー１０の伸長するピストンロッド１０ａの先端で基軸８の後端を押圧することにより、支持部６と押止部７を一体として前進する構成である。更に、基台９の後方には油圧シリンダー１１が設けられ、油圧シリンダー１１のピストンロッド１１ａの先端が基台９の後端に螺着されており、ピストンロッド１１ａを伸長・収縮することにより、基台９、管状部材５、係止爪３を進退する構成である。
【００１７】
次に、本実施形態の縮径加工装置１の動作について説明する。
【００１８】
先ず、図１に示すように、セラミックハニカム構造体１０１及び膨張マット１０２が内設されている外筒１０３が、図に省略した搬送機構で搬送され、縮径ダイス２と係止爪３間の所定位置に配置される。そして、縮径加工装置１は、油圧シリンダー１１のピストンロッド１１ａを伸長して、基台９や係止爪３を前記所定位置に配置された外筒１０３側へ前進する。前記係止爪３の先端に設けられている係止部３ｃは外筒１０３の外径と略同一径に拡開しており、前記前進で係止部３ｃが外筒１０３の後端部に到達すると、係止部３ｃの当接面３ｂが外筒１０３の後端部の端縁と当接し、係止部３ｃの段差面３ａが外筒１０３の内周面と接触して、係止爪３の係止部３ｃは外筒１０３の後端部に係合し、外筒１０３の後端部は係止爪３の係止部３ｃで係止される。
【００１９】
その後、ピストンロッド１１ａを更に前進し、図２に示すように、係止爪３ｃで係止する外筒１０３を縮径ダイス２内に押入する。押入される外筒１０３は、縮径ダイス２のテーパ部２ｂの緩やかな傾斜に沿って前方から順次縮径され、テーパ部２ｂと連続する直線部２ｃで直線部２ｃと同一径にならされていき、全体が直線部２ｃと同一径に縮径される（図３）。
【００２０】
また、縮径ダイス２内に押入される外筒１０３の後端部の縮径に伴い、外筒１０３の後端部を係止する係止爪３の係止部３ｃは、スリーブ４の縮径により、縮径ダイス２のテーパ部２ｂの内径に応じて縮径方向に移動し、最終的に直線部２ｃと同一径になるまで縮径方向に移動する。前記係止部３ｃの縮径方向への移動では係止爪３が全体的に縮径方向へ移動し、係止爪３の傾斜面３ｄの縮径方向への移動により、傾斜面３ｄと接触する支持部６の傾斜面６ａは傾斜面３ｄに沿って滑動し、支持部６、及び支持部６に固設されている押止部７、基軸８は前方に若干移動する。
【００２１】
その後、ピストンロッド１１ａを更に前進し、図４に示すように、直線部２ｃと同一径に縮径した外筒１０３の全体を縮径ダイス２内から抜き出し、抜き出した外筒１０３は図に省略した搬送機構の保持手段で保持され、後述の係止部３ｂの係止を解除された外筒１０３は前記保持手段で保持されることになる。尚、外筒１０３を縮径して前記縮径ダイス２内から抜き出した段階で、縮径した外筒１０３で膨張マット１０２が圧縮された触媒コンバータ１００となる。
【００２２】
そして、油圧シリンダー１０のピストンロッド１０ａを伸長し、基軸８の後端をピストンロッド１０ａの先端で押圧して基軸８を押動し、基軸８に固設されている支持部６及び押止部７を前進する。前記支持部６及び押止部７の前進に伴って、係止爪３の傾斜面３ｄと支持部６の傾斜面６ａは離間して非接触となり、係止爪３の縮径方向への移動規制が解除されると共に、押止片７ａの傾斜面７ｂで係止爪３の略後部の外面を縮径方向へ押圧するようになり、係止爪３をより縮径方向へ移動して押止する。前記係止爪３の移動で係止部３ｂは縮径方向に移動して、係止爪３の先端の係止部３ｂは外筒１０３の後端部への係止を解除し、縮径ダイス２の直線部２ｂの内周面から離間し、押止片７ａの押止により、係止部３ｂは前記内周面から離間した所定位置で保持される（図５）。
【００２３】
その後、図６に示すように、押止片７ａの押止による係止部３ｂの前記離間した所定位置での定置状態を維持しながら、油圧シリンダー１１のピストンロッド１１ａを収縮して係止爪３や基台９を後退し、係止爪３は縮径ダイス２の内周面と離間しながら縮径ダイス２内を後退する。最終的に、係止爪３は挿入側に抜き出され、図に省略した後退機構で基軸８を後退して支持部６及び押止部７を後退し、押止片７ａの押圧を解除すると共に、支持部６の傾斜面６ａを係止爪３の傾斜面３ｄに接触して係止爪３を押し拡げ、図１の状態に戻ることになる。
【００２４】
尚、上記実施形態では、支持部６及び押止部７を基軸８に固設する構成としたが、例えばピストンロッド１０ａの先端にスプリングの後端を固定し、そのスプリングの先端に支持部６及び押止部７を取り付ける、即ちピストンロッド１０ａにスプリングを介在して支持部６及び押止部７を設ける構成とし、前進時にはスプリングの若干の伸縮による支持部６及び押止部７の移動で係止爪３が若干拡径及び縮径可能な状態としつつ、伸張状態のスプリングの引っ張りで支持部６及び押止部７を後方に付勢して係止爪３を拡径した状態で前進し、後退時にはピストンロッド１０ａを前進して、スプリングの収縮による押圧で支持部６及び押止部７を前進することにより、係止爪３への移動規制を解除して縮径するようにし、更に、ピストンロッド１０ａの後退によりスプリングを介して支持部６及び押止部７を後退し、係止爪３を拡径して原点復帰するようにしてもよい。かかる構成により、係止爪３の弾力的で柔軟な縮径、拡径動作を得ることができ、加工工程全体で常時係止爪の３の径を最適な状態に調整して維持することができる。
【００２５】
【発明の効果】
本発明の縮径加工装置は、触媒坦体の外筒等の筒体に対し、効率的な製造工程で精密な縮径加工を施すことができる効果を奏する。従って、例えばセラミックハニカム構造体による触媒コンバータを製造する場合に、セラミックハニカム構造体を内設された外筒を精密且つ効率的に縮径することができ、又、縮径加工の際にセラミックハニカム構造体が破損するようなことも無い。
【図面の簡単な説明】
【図１】（ａ）実施形態の縮径加工装置に於いて筒体を係止爪前方に配置した状態を示す説明図。
（ｂ）同図（ａ）の縮径ダイス、筒体、係止爪の近傍の部分拡大図。
【図２】（ａ）実施形態の縮径加工装置に於いて係止爪で係止した筒体を縮径ダイスに挿入する状態を示す説明図。
（ｂ）同図（ａ）の縮径ダイス、筒体、係止爪の近傍の部分拡大図。
【図３】（ａ）実施形態の縮径加工装置に於いて係止爪で係止した筒体全体を縮径した状態を示す説明図。
（ｂ）同図（ａ）の縮径ダイス、筒体、係止爪の近傍の部分拡大図。
【図４】（ａ）実施形態の縮径加工装置に於いて係止爪で係止した筒体を縮径ダイスから抜き出した状態を示す説明図。
（ｂ）同図（ａ）の縮径ダイス、筒体、係止爪の近傍の部分拡大図。
【図５】（ａ）実施形態の縮径加工装置に於いて筒体への係止爪の係止を解除した状態を示す説明図。
（ｂ）同図（ａ）の縮径ダイス、筒体、係止爪の近傍の部分拡大図。
【図６】（ａ）実施形態の縮径加工装置に於いて係止を解除した係止爪を退出する状態を示す説明図。
（ｂ）同図（ａ）の縮径ダイス、筒体、係止爪の近傍の部分拡大図。
【図７】実施形態の縮径加工装置に於ける係止爪の設置部分の正面図。
【図８】実施形態の縮径加工装置に於ける係止爪、スリーブ、押止部を示す部分説明図。
【符号の説明】
１  縮径加工装置
２  縮径ダイス
２ａ  鍔
２ｂ  テーパ部
２ｃ  直線部
３  係止爪
３ａ  段差部
３ｂ  当接面
３ｃ  係止部
３ｄ、６ａ、７ｂ  傾斜面
４  スリーブ
４ａ  スリット
５  管状部材
６  支持部
７  押止部
７ａ  押止片
８  基軸
９  基台
１０、１１  油圧シリンダー
１０ａ、１１ａ  ピストンロッド
１００  触媒コンバータ
１０１  セラミックハニカム構造体
１０２  膨張マット
１０３  外筒
【図１】
2005069016.tif 000003
【図２】
2005069016.tif 000004
【図３】
2005069016.tif 000005
【図４】
2005069016.tif 000006
【図５】
2005069016.tif 000007
【図６】
2005069016.tif 000008
【図７】
2005069016.tif 000009
【図８】
2005069016.tif 000010